(57)【要約】【課題】手押し車本体の上方に買い物籠を載置することができ、下方に物品を収納する収納ボックスを搭載し、雨天時や防犯にも対応できる耐久性に優れた手押し車を提供することを目的とする。【解決手段】車台に複数の車輪を前後端に設け、その車台の後部に立設された支柱と、その支柱から前記車台上面に張り出すように設けられたバスケットと、前記支柱の上端部に設けられたハンドルバーと、前記車台に箱型の収納引き出し付きの収納ボックスを搭載し、前記バスケットの前面、左側面、右側面、底面、後面、上面を防水カバーで覆うことができることを特徴とする収納引き出し付き手押し車。【選択図】図１
0003203868.tif 000002
【実用新案登録請求の範囲】
【請求項１】
車台に複数の車輪を前後端に設け、前記車台の後部に立設された支柱と、前記支柱から前記車台上面に張り出すように設けられたバスケットと、前記支柱の上端部に設けられたハンドルバーと、前記車台に箱型の収納引き出し付きの収納ボックスを搭載し、前記バスケットの前面、左側面、右側面、底面、後面、上面を防水カバーで覆うことができることを特徴とする収納引き出し付き手押し車。
【請求項２】
前記バスケットの側面の外縁は、Ｌ字型の形状を有する鉤を複数設けて形成され、前記鉤に防水カバー上面の端部を引っ掛けることにより、前記バスケットの上面を覆うことができることを特徴とする請求項１に記載の収納引き出し付き手押し車。
【考案の詳細な説明】
【技術分野】
【０００１】
本考案は、足腰の弱い高齢者及び運転免許証返納などから生じる、重い買い物などに苦慮している者が使用するのに最適な手押し車に関するものである。
【背景技術】
【０００２】
足腰の弱い高齢者は、歩行を補助するため手押し車を使用して商品販売店へ行き、買い物をする場合が多い。店内で買い物をする時は、その手押し車を商品販売店の入り口に置き、店内の専用買い物カート車に交換して買い物を行っている。買い物の精算後は、買い物を手押し車に載せ替えて持ち帰るのが現状である。
【０００３】
手押し車は、車体下部前後の走行輪により走行自在で、高齢者が操作ハンドルを手で操り、また、身体を支えながら使用することができ、車体には小さな物品収納用バッグを有する手押し車が知られている（特許文献１参照）。
【０００４】
また、手押し車に買い物籠係止部と座部が設けられた手押し車が知られている（特許文献２参照）。
【先行技術文献】
【特許文献】
【０００５】
【特許文献１】特開２０１５−２１７７４３号公報
【特許文献２】特許第４１５０６０２号
【考案の概要】
【考案が解決しようとする課題】
【０００６】
前記手押し車は積載量が少ないことや、店専用カート車との交換・荷の乗せ換えに労力・工夫を要し不便であった。また手押し車のまま入店し、店専用の買い物籠を車の上部に載置する場合、不安定になり危険でもある。
【０００７】
仮に、スーパーマーケットなどに設置されている専用カート車を特別に入手出来たとしても、あくまでも店内専用仕様なので、走行輪の直径が小さく、さらに前車輪の幅が狭く、路面の僅かな段差・凹凸などの影響を受けて不安定である。
【０００８】
また、手押し車の屋外走行時は、急な雨やひったくりなどの被害から守るために、上部バスケットに乗せた買い物やバッグなどを保護するための工夫も必要である。
【０００９】
本考案は、上記問題点に鑑み提案されたもので、手押し車本体の上方に買い物籠を載置することができ、下方に物品を収納する収納ボックスを搭載し、雨天時や防犯にも対応できる耐久性に優れた手押し車を提供することを目的とする。
【００１０】
さらに、足腰の弱い高齢者はもとより、健常者であっても刺身などの生鮮食品・冷凍品など買い物の種類により帰途を急がねばならぬ者のために、一部クーラーボックス仕様の収納引出しを搭載することで、一層安定した歩行での買い物が出来る優れた手押し車を提供することを目的とする。
【課題を解決するための手段】
【００１１】
上記課題を解決するため、車台に複数の車輪を前後端に設け、その車台の後部に立設された支柱と、その支柱から前記車台上面に張り出すように設けられたバスケットと、前記支柱の上端部に設けられたハンドルバーと、前記車台に箱型の収納引き出し付きの収納ボックスを搭載し、前記バスケットの前面、左側面、右側面、底面、後面、上面を防水カバーで覆うことができることを特徴とする収納引き出し付き手押し車である。
【００１２】
前記バスケットの側面の外縁は、Ｌ字型の形状を有する鉤を複数設けて形成され、その鉤に防水カバー上面の端部を引っ掛けることにより、前記バスケットの上面を覆うことができることを特徴とする収納引き出し付き手押し車である。
【考案の効果】
【００１３】
本考案に係る手押し車は、使用者が買い物時に手押し車と専用買い物カート車とを交換する手間が不要になり、買い物籠を安定よく載せた状態で、手押し車で身体を支えながら安全に押して走行することができる。また、下方に引き出し付き収納ボックスを備えているので、物品を整理整頓して保管して運ぶことができ非常に便利である。
【００１４】
使用環境に合わせて、雨天時はバスケット上方を防水カバーで簡単に覆うこともできるので防水及び盗難防止にも役立つものである。
【図面の簡単な説明】
【００１５】
【図１】本考案の実施形態に係る手押し車の使用状態を斜め前方から視た斜視図である。
【図２】本考案の手押し車本体を斜め前方から視た斜視図である。
【図３】本考案の手押し車に搭載する収納ボックスの例を斜め前方から視た斜視図である。
【図４】本考案の手押し車本体を側方向からみた概略図である。
【図５】本考案の手押し車本体を後方向からみた概略図である。
【図６】本考案の実施形態に係る手押し車の防水カバーを開けた状態を斜め前方から視た斜視図である。
【図７】防水カバーの展開図である。
【考案を実施するための形態】
【００１６】
以下、本考案を実施するための形態について図を参照しながら説明する。図１は、本考案の実施形態に係る手押し車の使用状態を斜め前方から視た斜視図であり、図２は、本考案の手押し車本体１ａを斜め前方から視た斜視図である。
【００１７】
図１に示す収納引き出し付き手押し車１は、図２に示す手押し車本体１ａに収納ボックス１２を搭載し、防水カバー１７を取り付けた状態をあらわすものである。
【００１８】
図２の手押し車本体１ａは、ハンドルバー２、前車輪３、後車輪４、車台５、螺子穴ａ６、支柱７、支柱補助部材８、バスケット９、螺子穴ｂ１０、鉤１１とで構成されている。
【００１９】
車本体１ａは、平板形状の車台５に、複数の前車輪３と複数の後車輪４が前後端に設けられ、その車台５の後部に支柱７を立設させ、支柱７は左右方向に間隔をおいて並設され上下方向に延びており、長さ方向の中間部は前方に突出する形で屈曲し、支柱７の上部にはハンドルバー２が設けられている。
【００２０】
支柱７の上部の長さ方向の部分は後方に突出する形で屈曲し、内方向に直角に曲げられ支柱７の上部にハンドルバー２が一体化して設けられている。使用者は、このハンドルバー２を握って体重を前方に掛けて手押し車を前進または後退させることができる。なお、ハンドルバー２は使用者が把持しやすいように円柱のパイプ形状が望ましい。
【００２１】
支柱７の中間部と車台５の上面の間には、使用者がハンドルバー２に掛ける負荷やバスケット９に物品を置いた際の負荷を考慮して補強部材である支柱補助部材８を設け、強度及び剛性に優れた構造になっている。
【００２２】
車台５は金属製またはプラスチック製の平板形状であり、複数の切欠き孔の加工により強度を確保しながら軽量化が図られている。
【００２３】
バスケット９は、左右の支柱７の上下方向中間部に後部を支え前方に延び、直方体の箱型で上方が開口している。そして、前面部と左側面部と右側面部と底面部と後面部が網状に形成されている。
【００２４】
車台５の上面の長手方向縁部には、収納ボックス１２を固定するための螺子穴ａ６が複数設けられている。車本体１ａの走行中に、路面の影響で振動を受けると収納ボックス１２が不安定になり早期破損の恐れがあるため、固定することが望ましい。
【００２５】
バスケット９の外縁には、防水カバー１７の前面、左側面、右側面、後面を固定する螺子穴ｂ１０が複数設けられている。また、バスケット９の外縁の左側面には、防水カバー１７のリング１９を引っ掛けるのに適するＬ字型の形状を有する鉤１１が下向きに複数設けられている。リング１９は円型であるため、容易に鉤１１に引っ掛けることができ、帯ゴム１８は伸縮可能である。
【００２６】
図３は、本考案の手押し車に搭載する収納ボックスの例を斜め前方から視た斜視図である。収納ボックス１２は、直方体の箱型であって上引き出し１３や下引き出し１４からなる複数の引き出しで構成され、軽量化のためにも合成樹脂製が望ましい。引き出しを閉じた時に密封性が確保されるのであれば、ドライアイスなどの保冷材を入れ、冷凍食品等の物品の仮保管ボックスとしても使用できる。また、収納ボックス１２を真空断熱パネルや発泡ウレタン材などで構成し、保冷効果の優れているクーラーボックス仕様の構造としても良い。引き出し方向は後ろ側、すなわち使用者側に引き出しを出し入れする方向になるように車台５に搭載する。この収納ボックス１２を車台５に固定するために螺子ａ１６を挿入する貫通孔１５が設けられている。
【００２７】
図４は、本考案の手押し車本体１ａを側方向からみた概略図である。手押し車本体１ａの車台５に収納ボックス１２を搭載し、買い物籠Ａをバスケット９に載置した状態をあらわすものである。収納ボックス１２は、螺子ａ１６により車台５に固定して搭載されている。
【００２８】
図５は、本考案の手押し車本体１ａを後方向からみた概略図である。前車輪３と後車輪４は、各々独立しており、直径が１００ｍｍ程度である。
【００２９】
図６は、本考案の実施形態に係る手押し車の防水カバーを開けた状態を斜め前方から視た斜視図である。図４の手押し車本体１ａのバスケット９の前面、左側面、右側面、後面、底面の外側を覆うように、防水カバー１７の孔ｂ２１に螺子ｂ２０を通してバスケット９の外縁部の螺子穴ｂ１０に固定する。
図６は、防水カバー上面２３を捲ることによりバスケット９の開口部を開放していることを示している。
【００３０】
図７は、図４の手押し車本体１ａに取り付ける樹脂製の防水カバー１７の展開図である。防水カバー上面２３の端部を手押し車本体１ａの鉤１１に引っ掛けられるように円型のリング１９が防水カバー上面２３の長手方向の端部に複数配置されている。リング１９と防水カバー上面２３は、帯状の帯ゴム１８で接続されており、ゴムの部分は伸縮可能にしている。鉤孔２２は鉤１１を通すために開けられた孔である。
【００３１】
防水カバー１７は、１枚もので製作し手押し車本体１ａの前面、左側面、右側面、底面、後面、上面を覆うことができ、１枚ものであるから上面を覆っている部分を右側面側に捲ることにより、図６に示すようにバスケット９の開口部を開放することもできる。  
【産業上の利用可能性】
【００３２】
本考案に係る手押し車は、工業的に安価に量産可能で、足腰の弱った高齢者や運転免許返納後の買い物難民といわれる者たちの、大量の買い物などに便利なものである。加えて急な雨や盗難への防御にも工夫があり、広く使用できるものである。
【符号の説明】
【００３３】
１      収納引き出し付き手押し車
１ａ    手押し車本体
２      ハンドルバー
３      前車輪
４      後車輪
５      車台
６      螺子穴ａ
７      支柱
８      支柱補助部材
９      バスケット
１０    螺子穴ｂ
１１    鉤
１２    収納ボックス
１３    上引き出し
１４    下引き出し
１５    貫通孔
１６    螺子ａ
１７    防水カバー
１８    帯ゴム
１９    リング
２０    螺子ｂ
２１    孔ｂ
２２    鉤孔
２３    防水カバー上面
Ａ      買い物籠
【図１】
0003203868.tif 000003
【図２】
0003203868.tif 000004
【図３】
0003203868.tif 000005
【図４】
0003203868.tif 000006
【図５】
0003203868.tif 000007
【図６】
0003203868.tif 000008
【図７】
0003203868.tif 000009